(57)【要約】【課題】  セキュリィテを保持した状態で電子データを管理しつつ、所望の出力日時に転送済みの電子データを確実に出力させることである。【解決手段】  出力先の画像処理装置に送出されている暗号化済みの電子データの出力日時と電子データから抽出された前記送信元特徴情報を時刻管理手段２０８が管理しておき、該管理される前記出力日時に、復号鍵送信手段２０６が前記暗号化済みの電子データを復号化するための復号鍵を送信し、該送信される前記復号鍵により前記出力先の画像処理装置で復号化された電子データの送信先特徴情報を取得したら、特徴量算出手段２０５が該取得される前記送信先特徴情報と送信元特徴情報とが一致したと判断した場合に、出力先の画像処理装置に対して復号化されている電子データの出力を指示する構成を特徴とする。【選択図】  図２
2005244719.tif 000002
【特許請求の範囲】
【請求項１】
暗号化された電子データを出力先の画像処理装置へ送出可能な画像処理装置であって、
暗号化前の電子データの送信元特徴情報を抽出する抽出手段と、
前記出力先の画像処理装置に送出されている暗号化済みの電子データの出力日時と前記抽出手段により抽出された前記送信元特徴情報を管理する管理手段と、
前記管理手段により管理される前記出力日時に、前記暗号化済みの電子データを復号化するための復号鍵を送信する送信手段と、
前記送信手段により送信される前記復号鍵により前記出力先の画像処理装置で復号化された電子データの送信先特徴情報を取得する取得手段と、
前記取得手段により取得される前記送信先特徴情報と前記送信元特徴情報とが一致するかどうかを照合する照合手段と、
前記照合手段により一致すると判断した場合に、前記出力先の画像処理装置に対して復号化されている電子データの出力を指示する指示手段と、
を有することを特徴とする画像処理装置。
【請求項２】
前記管理手段は、前記出力先の画像処理装置から電子データの出力終了通知に基づき、暗号化済みの電子データの出力状況を変更することを特徴とする請求項１記載の画像処理装置。
【請求項３】
前記送信手段は、異なる復号鍵を選択される複数の出力先の画像処理装置へ送信することを特徴とする請求項１記載の画像処理装置。
【請求項４】
前記照合手段により一致しないと判断した場合に、前記出力先の画像処理装置に対して暗号化されていない電子データを再送信する送信制御手段を有することを特徴とする請求項１記載の画像処理装置。
【請求項５】
送信元画像処理装置から暗号化されている電子データを受信して出力処理可能な画像処理装置であって、
受信された暗号化されている電子データを蓄積する蓄積手段と、
前記送信元画像処理装置より前記蓄積手段に蓄積されている暗号化されている電子データを復号化するための復号鍵を取得する取得手段と、
前記取得手段により取得される前記復号鍵に基づき復号化される電子データの特徴情報を抽出して、前記送信元画像処理装置に転送する特徴量算出手段と、
前記送信元画像処理装置より復号化されている電子データの出力指示を受信して、該電子データの印刷を行う制御手段と、
を備えることを特徴とする画像処理装置。
【請求項６】
暗号化された電子データを出力先の画像処理装置へ送出可能な画像処理装置における画像処理方法であって、
暗号化前の電子データの送信元特徴情報を抽出する抽出ステップと、
前記出力先の画像処理装置に送出されている暗号化済みの電子データの出力日時と前記抽出ステップにより抽出された前記送信元特徴情報を管理する管理ステップと、
前記管理ステップにより管理される前記出力日時に、前記暗号化済みの電子データを復号化するための復号鍵を送信する送信ステップと、
前記送信ステップにより送信される前記復号鍵により前記出力先の画像処理装置で復号化された電子データの送信先特徴情報を取得する取得ステップと、
前記取得ステップにより取得される前記送信先特徴情報と前記送信元特徴情報とが一致するかどうかを照合する照合ステップと、
前記照合ステップにより一致すると判断した場合に、前記出力先の画像処理装置に対して復号化されている電子データの出力を指示する指示ステップと、
を有することを特徴とする画像処理方法。
【請求項７】
送信元画像処理装置から暗号化されている電子データを受信して出力処理可能な画像処理装置であって、
受信された暗号化されている電子データを蓄積部に蓄積する蓄積ステップと、
前記送信元画像処理装置より前記蓄積手段に蓄積されている暗号化されている電子データを復号化するための復号鍵を取得する取得ステップと、
前記取得ステップにより取得される前記復号鍵に基づき復号化される電子データの特徴情報を抽出して、前記送信元画像処理装置に転送する特徴量算出ステップと、
前記送信元画像処理装置より復号化されている電子データの出力指示を受信して、該電子データの印刷を行う制御ステップと、
を備えることを特徴とする画像処理方法。
【請求項８】
請求項６または７記載の画像処理方法を実行させるためのプログラムを格納したことを特徴とするコンピュータが読み取り可能な記憶媒体。
【請求項９】
請求項６または７記載の画像処理方法を実行させることを特徴とするプログラム。
【発明の詳細な説明】
【技術分野】
【０００１】
本発明は、暗号化された電子データを出力先の画像処理装置へ送出可能な画像処理装置および画像処理方法およびコンピュータが読み取り可能なプログラムを格納した記憶媒体およびプログラムに関するものである。
【背景技術】
【０００２】
従来、各種データをプリント出力物として、相手先のプリンタに出力させる場合、次のようなシステムが知られている。
【０００３】
例えば第１のシステム例としては、パソコン（ＰＣ）や、画像処理装置等の情報処理装置で各種データを生成し、情報処理装置から相手先の画像処理装置へプリンタ指示し、プリントを行うものと、第２のシステム例としては、パソコン（ＰＣ）や、画像処理装置等の情報処理装置で各種データを作成し、相手先の画像処理装置が保持する記憶手段（ＨＤ）へ一旦格納し、相手先のユーザが、画像処理装置が有する操作画面から操作し、記憶手段に格納されたデータのプリントを行う例がある。
【０００４】
また、上記第１、第２のシステム例では、相手先にプリントさせるためのシステムに関して述べたが、印刷自体を保障するシステム（第３のシステム）として、下記特許文献１のような提案がある。
【０００５】
このシステム例では、プリンタ装置に、真正性検証手段を有し、真正が確認されたデータのみ正しく印刷することで、印刷に対する保障を行っている。
【特許文献１】特開２００３−０８４９６２号公報
【発明の開示】
【発明が解決しようとする課題】
【０００６】
しかしながら、上記のような各システム例の場合、例えば、入場許可券や、乗車許可券、あるいは、試験答案を電子データ化し、それを採点業者側のプリンタ装置でプリントさせて採点業務を遂行する場合等のセキュリティの高いデータを、ある指定された時間に、確実に相手先でプリントしたい場合、第１のシステムでは、プリント直前でデータを送信するため、ネットワークトラフィック等の問題で、確実なプリントを保障することができない。
【０００７】
また、第２のシステムの場合、事前にデータ自体の送付を行えるが、送付後のデータ紛失や、改竄、またプリント日時に関して、保障することができなかった。
【０００８】
また、第３のシステム例は、プリンタ装置自体で印刷保障を行っているが、この形態では、サーバからデータを送付した際、例えば、データ送信したプリンタ装置側の真正性保障のプログラム自体が変更された場合等、最後までプリント出力に関して保障を行うことができない。また、第３のシステムにおいては、送信したデータの閲覧に関しては何らセキュリティが保障はされていない。
【０００９】
本発明は、上記の問題点を解決するためになされたもので、第１の目的は、出力先の画像処理装置に送出されている暗号化済みの電子データの出力日時と電子データから抽出された前記送信元特徴情報を管理しておき、該管理される前記出力日時に、前記暗号化済みの電子データを復号化するための復号鍵を送信し、該送信される前記復号鍵により前記出力先の画像処理装置で復号化された電子データの送信先特徴情報を取得したら、該取得される前記送信先特徴情報と前記送信元特徴情報とが一致したと判断した場合に、前記出力先の画像処理装置に対して復号化されている電子データの出力を指示することにより、セキュリティ要請のある電子データが先行して出力先で蓄積させる必要がある環境の下でも、セキュリティ要請のある電子データの状況を一括管理しつつ、出力すべき電子データの出力日時以前に暗号化されている電子データを任意数の出力先の画像処理装置に転送した後、出力日時に送信先の画像処理装置から暗号鍵を転送するまで、出力先の画像処理装置で蓄積される暗号化された電子データは復号されずに管理することができるとともに、該復号化された後、さらに復号化された電子データが転送した電子データの元本と一致するかどうかを送信先で判断することができ、転送トラブルや誤送される事態が発生してもその真偽を確実に認証しながら、送信元から適時なタイミングで転送済みの電子データを確実に出力させることができる画像処理装置および画像処理方法およびコンピュータが読み取り可能なプログラムを格納した記憶媒体およびプログラムを提供することである。
【００１０】
第２の目的は、受信された暗号化されている電子データを蓄積する蓄積手段と、前記送信元画像処理装置より前記蓄積手段に蓄積されている暗号化されている電子データを復号化するための復号鍵を取得し、該取得される前記復号鍵に基づき復号化される電子データの特徴情報を抽出して、前記送信元画像処理装置に転送した後、送信元画像処理装置より復号化されている電子データの出力指示を受信して、該電子データの印刷を行うことにより、送信元の画像処理装置で一括管理で印刷保障（データに対する紛失、改竄保障、及びプリント日時（勝手なプリント、閲覧を防ぐ）保障）を行うことができ、セキュリティ印刷を確実に保障することができるとともに、画像処理環境を自在に構築することができる画像処理装置および画像処理方法およびコンピュータが読み取り可能なプログラムを格納した記憶媒体およびプログラムを提供することである。
【課題を解決するための手段】
【００１１】
本発明に係る第１の発明は、暗号化された電子データを出力先の画像処理装置へ送出可能な画像処理装置であって、暗号化前の電子データの送信元特徴情報を抽出する抽出手段と、前記出力先の画像処理装置に送出されている暗号化済みの電子データの出力日時と前記抽出手段により抽出された前記送信元特徴情報を管理する管理手段と、前記管理手段により管理される前記出力日時に、前記暗号化済みの電子データを復号化するための復号鍵を送信する送信手段と、前記送信手段により送信される前記復号鍵により前記出力先の画像処理装置で復号化された電子データの送信先特徴情報を取得する取得手段と、前記取得手段により取得される前記送信先特徴情報と前記送信元特徴情報とが一致するかどうかを照合する照合手段と、前記照合手段により一致すると判断した場合に、前記出力先の画像処理装置に対して復号化されている電子データの出力を指示する指示手段とを有することを特徴とする。
【００１２】
また、送信元画像処理装置から暗号化されている電子データを受信して出力処理可能な画像処理装置であって、受信された暗号化されている電子データを蓄積する蓄積手段と、前記送信元画像処理装置より前記蓄積手段に蓄積されている暗号化されている電子データを復号化するための復号鍵を取得する取得手段と、前記取得手段により取得される前記復号鍵に基づき復号化される電子データの特徴情報を抽出して、前記送信元画像処理装置に転送する特徴量算出手段と、前記送信元画像処理装置より復号化されている電子データの出力指示を受信して、該電子データの印刷を行う制御手段とを備えることを特徴とする。
【発明の効果】
【００１３】
本発明によれば、セキュリティ要請のある電子データが先行して出力先で蓄積させる必要がある環境の下でも、セキュリティ要請のある電子データの状況を一括管理しつつ、出力すべき電子データの出力日時以前に暗号化されている電子データを任意数の出力先の画像処理装置に転送した後、出力日時に送信先の画像処理装置から暗号鍵を転送するまで、出力先の画像処理装置で蓄積される暗号化された電子データは復号化されずに管理することができるとともに、該復号化された後、さらに復号化された電子データが転送した電子データの元本と一致するかどうかを送信先で判断することができ、転送トラブルや誤送される事態が発生してもその真偽を確実に認証しながら、送信元から適時なタイミングで転送済みの電子データを確実に出力させることができる。
【００１４】
また、送信元の画像処理装置で一括管理で印刷保障（データに対する紛失、改竄保障、及びプリント日時（勝手なプリント、閲覧を防ぐ）保障）を行うことができ、セキュリティ印刷を確実に保障することができるとともに、画像処理環境を自在に構築することができる等の効果を奏する。
【発明を実施するための最良の形態】
【００１５】
次に本発明を実施するための最良の形態について図面を参照して説明する。
【００１６】
図１は、本発明の一実施形態を示す画像処理装置を適用可能な画像処理システムの構成を説明する図であり、本画像処理システムは、業務依頼元が、解答済みの答案Ａ、答案Ｂ、答案Ｃを、それぞれ、業務依頼先である採点業者Ｘ、Ｙ、Ｚに採点してもらうために、答案Ａ、Ｂ、Ｃを採点開始のタイミングで、採点業者が有する画像処理装置へプリントさせるためのシステムにおいて、電子化した答案Ａ、答案Ｂ、答案Ｃの電子データを、それぞれの採点業者へ送信する例に対応する。
【００１７】
図１において、画像処理装置２００は原稿の読み込みを行うリーダ２０１、読み込んだ原稿を、ＴＩＦＦや、ＪＰＥＧ形式の電子データにする電子データ化手段２０３、電子データ化したデータを暗号化する暗号化手段２０４、電子データ化したデータの特徴量を算出する特徴量算出手段２０５、算出した特徴量や、電子データ、暗号化文書を復号化するための復号鍵などを管理するための記憶するための記憶手段２０２、ネットワーク等で接続された相手先の機器へ電子データを送信するための送信手段２０６を備えている。
【００１８】
また、画像処理装置２００は、相手先に電子データを送信するための操作を行う入力手段（不図示）を持つ。
【００１９】
画像処理装置２００に、ネットワーク等で接続された画像処理装置３００、４００、５００は、電子データを格納する記憶手段としてＨＤ（ハードディスク）３０１、４０１、５０１を有し、画像処理装置２００から送信された暗号化電子データをそれぞれ格納する。
【００２０】
また、画像処理装置２００は、表示手段ＤＰを備えており、送信したデータの管理状況を一括表示することができる。図１における表示手段ＤＰは、送信に関する状況を表示している。
【００２１】
図２は、図１に示した画像処理装置３００，４００，５００による解凍処理例を説明する図であり、図１と同一のものには同一の符号を付してある。なお、本画像処理システムは、画像処理装置３００、４００、５００に格納された暗号化データ、答案Ａ、答案Ｂ、答案Ｃをプリントする例に対応する。
【００２２】
図２において、画像処理装置２００は、さらに、プリント開始時刻を制御するための時刻管理手段２０８と、プリント開始時刻に、相手先の画像処理装置３００、４００、５００に、それぞれの復号鍵を送信する復号鍵送信手段２０９とを備えており、予め設定されたプリント開始時刻になったら、復号化するための復号鍵を、それぞれの画像処理装置３００、４００、５００へ送信する。
【００２３】
復号鍵を受信した画像処理装置３００、４００、５００は、それぞれの画像処理装置が有する復号化手段（不図示）によって、格納された暗号化電子データの復号化を行う。それぞれの画像処理装置は、さらに、特徴量算出手段３０２、４０２、５０２を備え、復号化された電子データの特徴量を算出し、算出した特徴量を、サーバである画像処理装置２００へそれぞれ送信する。
【００２４】
画像処理装置２００は、画像処理装置３００、４００、５００から受信した特徴量と、予め記憶手段に格納された特徴量とを比較し、データが改竄されていないかどうかの合否判定を行う特徴量算出手段２０７を有し、合格と判定した画像処理装置３００、４００へ印刷指示を行う。画像処理装置３００、４００は、その指示に従い、答案８０１、答案８０２を出力する。
【００２５】
画像処理装置２００の表示手段ＤＰは、ここにおいても、データの管理状況を一括で表示することができ、ここでは、送信したデータとの整合性が取れているか否か、及びプリントに対する状況を表示することが可能である。
【００２６】
また、本実施形態では、特徴量比較手段２０７において、否と判断した場合、例えば画像処理装置５００から受信した特徴量と、予め記憶手段に格納された特徴量とを比較し、データが改竄されていると判断した場合は、画像処理装置２００から、直接、画像処理装置５００に対して、暗号化していない電子データの再送信及びプリントを行う。
【００２７】
図３は、図２に示した特徴量算出手段２０５のデータ処理例を説明する図である。
【００２８】
図３に示すように、本実施形態では、特徴量算出手段２０５がＭＤ５と呼ばれているハッシュ関数を用いてメッセージダイジェスト値を算出するようにしている。
【００２９】
ＭＤ５は、例えば、現在実用に用いられている暗号化プログラムの１つであるＰＧＰ（Ｐｒｅｔｔｙ  Ｇｏｏｄ  Ｐｒｉｖａｃｙ）でメッセージダイジェスト関数として用いられている。
【００３０】
図４は、本発明に係る画像処理装置における第１のデータ処理手順の一例を示すフローチャートであり、サーバ側の画像処理装置が、電子データをプリンタ装置側の画像処理装置に送信する処理手順に対応する。なお、（４００１）〜（４００９）はサーバ側のステップに対応し、（５００１）〜（５００４）はプリンタ装置側のステップに対応し、それぞれ図示しないＣＰＵがハードディスク等から制御プログラムをＲＡＭにロードして実行することにより実現される。
【００３１】
まず、前述した入力手段から、データを送信するための、送信する宛先情報の入力がされたか否かを確認し（４００１）、宛先情報が入力されたら、送信する原稿の読み込みを行い（４００２）、原稿の読み込みが終了したら、特徴量算出手段２０５が読み込んだ原稿データのハッシュ値を算出し（４００３）、読み込んだ原稿データを暗号化する（４００４）。次に、暗号化した原稿データを、ステップ（４００１）で入力された送信宛先に送信する（４００５）。
【００３２】
これを受けて、プリンタ装置側は、サーバ側から送信した原稿データを受信し（５００１）、受信が正常終了したか否かを確認し（５００２）、正常受信したと判断した場合は、サーバ側に正常受信したことを送信して（５００４）、処理を終了する。
【００３３】
一方、ステップ（５００２）で、正常受信が確認できなかったと判断した場合、サーバ側に正常受信できなかったことを送信する（５００３）。
【００３４】
一方、サーバ側は、プリンタ装置側からの、正常受信したか否かの情報をもとに、送信がＯＫか否かを判断し（４００６）、送信結果がＮＧと判断された場合、前述した表示手段ＤＰに、送信状況ＮＧを表示して（４００７）、ステップ（４００５）に戻り、暗号化した原稿データの再送信を行う。
【００３５】
一方、ステップ（４００６）で、送信状況がＯＫと判断された場合、表示手段ＤＰに、送信状況ＯＫを表示して（４００８）、前述の入力手段から、送信した原稿データをプリンタ装置側でプリントする日時が設定されるのを待ち（４００９）、設定されたら本処理処理を終了する。
【００３６】
図５は、本発明に係る画像処理装置における第２のデータ処理手順の一例を示すフローチャートであり、暗号化原稿データを、プリント装置側に送信後より、プリントされるまでの処理手順に対応する。なお、（４０１１）〜（４０１８）はサーバ側の各ステップを示し、（５００５）〜（５０１０）はプリンタ装置例の各ステップを示す。
【００３７】
サーバ側のステップ（４０１１）で、現在の日時が設定されたプリント日時か否かを判断し、設定されたプリント日時であると判断した場合、図４のステップ（４００４）で暗号化した際に生成された復号鍵を、プリンタ装置に送信する（４０１２）。
【００３８】
これを受けて、プリンタ装置側は、ステップ（４０１２）で送信した復号鍵を受信し（５００５）、図４のステップ（５００１）で受信した原稿データの復号化を行い（５００６）、復号した電子データのハッシュ値を特徴量算出手段が算出し（５００７）、算出したハッシュ値を、サーバ側に送信する（５００８）。
【００３９】
これを受けて、サーバ側は、プリンタ装置側より送信されたハッシュ値を受信し（４０１３）、図４に示したステップ（４００３）で算出したハッシュ値と比較を行い（４０１４）、送信したデータが、改竄、紛失、壊滅されていないか確認してデータが正しいか否かを判断して（４０１５）、データが正しいと判断した場合、ステップ（４０１６）で、プリンタ装置に、プリント指示を行う。次に、表示手段ＤＰに、データのプリント状況を表示する（４０１７）。
【００４０】
これを受けて、プリンタ装置側は、サーバからのプリント指示で、プリントを行い（５００９）、全てプリントされたら、プリント終了をサーバに通知して（５０１０）、プリンタ側の処理を終了する。
【００４１】
一方、サーバ側は、プリンタ装置からプリント終了通知を受信したら、表示手段ＤＰにプリント完了を表示して（４０１８）、処理を終了する。
【００４２】
図６は、本発明に係る画像処理装置における第３のデータ処理手順の一例を示すフローチャートであり、図５に示したステップ（４０１５）によって、データが正しくないと判断された場合の処理手順に対応する。なお、（４０２１）〜（４０２５）はサーバ側の各ステップを示し、（５０１１）〜（５０１３）はプリンタ装置例の各ステップを示す。
【００４３】
まず、表示手段ＤＰに、データがＮＧだということを表示し（４０２１）、予めサーバで保持する暗号化していない電子データを、プリンタ装置へ再送しプリント指示を行う（４０２２）。
【００４４】
この時、表示手段ＤＰに、"データ再送中"の表示を行う（４０２３）。
【００４５】
次に、プリンタ装置側は、サーバから再送信されたデータを受信しつつ、プリントを行う（５０１１）。データ受信が終了したら、受信終了通知をサーバ側へ送信する（５０１２）。
【００４６】
これを受けて、サーバ側はプリンタ装置から受信終了通知を受信し、表示手段ＤＰにプリント中を表示する（４０２４）。この状態で、プリンタ側からプリントが終了したら、プリント終了通知をサーバへ送信する（５０１３）。これを受けて、サーバ側はプリンタ装置からプリント終了通知を受信し、表示手段ＤＰにプリント完了を表示して（４０２５）、処理を終了する。
【００４７】
なお、本実施形態では、画像読取装置によって読み取った画像データについて暗号化処理して処理する場合について説明したが、入力データとしては、ＰＤＬデータや、電子化文書ファイル（ＰＤＦ）等であってもよい。
【００４８】
上記実施形態によれば、事前に相手先に暗号化データを送信しておき、プリント直前で、送信側のデータのハッシュ値を送信元で比較し、該比較ＯＫだった場合、サーバからのプリント指示によってプリントされるため、予めデータを相手先に送付しておくこと、および印刷に対する、データ保障、プリント日時保障を、送信側で一括管理することができる画像処理環境を自在に構築することができる。
【００４９】
なお、図６に示すステップ（５０１１）でプリント指示が所定時間得られなかった場合や、データ破棄コマンドがサーバ側から通知された場合には、解凍済みの印刷データを廃棄させ、その結果をサーバ側に通知できるように構成してもよい。
【００５０】
また、上記実施形態では、サーバ側で読み取られた原稿画像情報を全てプリンタ側でプリント処理する場合について説明したが、採点者が均一な採点を想定しないようなシステムである場合には、原稿画像情報の一部をマスクして処理するようにプリント可能領域を転送先毎に制限できるように制御したり、複数の頁を１頁に印刷する印刷レイアウト指示に従い、あるいは、依頼先側の画像処理装置本体の操作部より指示される印刷レイアウトモードに従い、意図するレイアウトで印刷したりできるように制御してもよい。
【００５１】
以下、図７に示すメモリマップを参照して本発明に係る画像処理システムで読み取り可能なデータ処理プログラムの構成について説明する。
【００５２】
図７は、本発明に係る画像処理システムで読み取り可能な各種データ処理プログラムを格納する記憶媒体のメモリマップを説明する図である。
【００５３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００５４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００５５】
本実施形態における図４〜図６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００５６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００５７】
この場合、記憶媒体から読み出されたプログラムコード自体が本発明の新規な機能を実現することになり、そのプログラムコードを記憶した記憶媒体は本発明を構成することになる。
【００５８】
従って、プログラムの機能を有していれば、オブジェクトコード、インタプリタにより実行されるプログラム、ＯＳに供給するスクリプトデータ等、プログラムの形態を問わない。
【００５９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００６０】
この場合、記憶媒体から読出されたプログラムコード自体が前述した実施形態の機能を実現することになり、そのプログラムコードを記憶した記憶媒体は本発明を構成することになる。
【００６１】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００６２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００６４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６５】
本発明は上記実施形態に限定されるものではなく、本発明の趣旨に基づき種々の変形（各実施形態の有機的な組合せを含む）が可能であり、それらを本発明の範囲から排除するものではない。
【００６６】
本発明の様々な例と実施形態を示して説明したが、当業者であれば、本発明の趣旨と範囲は、本明細書内の特定の説明に限定されるものではない。
【００６７】
なお、本発明は、上記した実施形態に限定されるものではなく、本発明の要旨を逸脱しない範囲内において種々変更を加え得ることは勿論である。
【図面の簡単な説明】
【００６８】
【図１】本発明の一実施形態を示す画像処理装置を適用可能な画像処理システムの構成を説明する図である。
【図２】図１に示した画像処理装置による解凍処理例を説明する図である。
【図３】図２に示した特徴量算出手段のデータ処理例を説明する図である。
【図４】本発明に係る画像処理装置における第１のデータ処理手順の一例を示すフローチャートである。
【図５】本発明に係る画像処理装置における第２のデータ処理手順の一例を示すフローチャートである。
【図６】本発明に係る画像処理装置における第３のデータ処理手順の一例を示すフローチャートである。
【図７】本発明に係る画像処理システムで読み取り可能な各種データ処理プログラムを格納する記憶媒体のメモリマップを説明する図である。
【符号の説明】
【００６９】
２００  画像処理装置
２０１  リーダ
２０２  記憶手段
２０３  電子データ化手段
２０４  暗号化手段
２０５  特徴量算出手段
２０６  送信手段
３００，４００，５００  画像処理装置
ＤＰ  表示手段
【図１】
2005244719.tif 000003
【図２】
2005244719.tif 000004
【図３】
2005244719.tif 000005
【図４】
2005244719.tif 000006
【図５】
2005244719.tif 000007
【図６】
2005244719.tif 000008
【図７】
2005244719.tif 000009